(57)【要約】【課題】高所作業用の足場を簡易に設けることができて安全かつ安定した高所作業を行うことができ、作業効率の向上・作業の安全性確保に寄与することのできる屋根の施工方法、及び、建物の施工方法を提供すること。【解決手段】この屋根の施工方法は、住宅家屋１を支持する構造柱２を立設し、構造柱２に取り付けられたウィンチ７によって住宅家屋１の屋根４を吊り上げて構造柱２の頂部２ｃに４屋根を固定する屋根の施工方法であって、高所作業に用いるための吊り足場８をウィンチ７によって吊り上げられる前の屋根４に連結し、屋根４を吊り足場８とともにウィンチ７によって吊り上げる方法である。【選択図】　図４
2004107963.tif 000002
【特許請求の範囲】
【請求項１】
建物を支持する構造柱を立設し、該構造柱に取り付けられた吊上げ装置によって前記建物の屋根を吊り上げて前記構造柱の頂部に該屋根を固定する屋根の施工方法であって、
前記吊上げ装置によって吊り上げられる前の屋根に高所作業に用いるための吊り足場を連結し、該屋根を前記吊り足場とともに前記吊上げ装置によって吊り上げることを特徴とする屋根の施工方法。
【請求項２】
前記構造柱を前記建物の四隅となる部分に相当する位置に立設することを特徴とする請求項１に記載の屋根の施工方法。
【請求項３】
前記屋根の吊上げ高さを複数箇所で測定しつつ該屋根を吊り上げることを特徴とする請求項１又は請求項２のいずれかに記載の屋根の施工方法。
【請求項４】
前記屋根に雨水を排水するための排水部を設け、
該屋根の傾斜面が前記排水部に向けて下方に傾斜することにより、該排水部に雨水を導くことを特徴とする請求項１から請求項３のうちいずれか１項に記載の屋根の施工方法。
【請求項５】
建物を支持する複数の構造柱を立設し、
高所作業に用いるための吊り足場を、前記構造柱に取り付けられた吊上げ装置によって吊り上げられる前の屋根に連結し、
該屋根を前記吊り足場とともに前記吊上げ装置によって吊り上げて前記構造柱の頂部に前記屋根を固定した後に、前記各構造柱の間に前記建物の外壁を覆う外壁パネルを保持するための間柱を立設するとともに、前記各柱間に前記外壁パネルを組み付けることを特徴とする建物の施工方法。
【発明の詳細な説明】
【０００１】
【発明の属する技術分野】
この発明は、屋根の施工方法及びその屋根の施工方法を用いた建物の施工方法に関する。
【０００２】
【従来の技術】
従来から、住宅家屋等の建物の建築においては、ウィンチ等の吊上げ装置により建物の屋根を地面から吊り上げる（リフトアップする）施工方法が用いられている。例えば、構築すべき建物の平面視略中央部に柱を立て、地盤上において柱の周囲を取り囲むように屋根を組み立て、柱の軸に沿って組み立てられた屋根を上昇させ、上昇させた屋根の下方の地盤上において、床及び壁を組み立てて屋根の下に固定する方法が開示されている（例えば特許文献１参照）。
【０００３】
また、最上階の屋根スラブに設置された昇降索巻取装置の昇降索を巻き取ることにより屋根スラブ・上階壁パネル・上階床スラブを吊り上げる方法も開示されている（例えば特許文献２参照）。
【０００４】
さらに、柱に装着されたウィンチ等の手動の巻上げ装置によって、柱頭部の滑車を介してワイヤーロープで連結された天井板等のスラブを揚重する方法であって、柱に摺動可能なサポートを用いて安定してスラブを揚重する方法が開示されている（例えば特許文献３参照）。
【０００５】
これらの方法によれば、屋根を吊り上げた後にその屋根の下において建築作業を進めることができるので、雨などの天候に左右されることなく効率的に建物の建築作業を行うことができる。
【０００６】
【特許文献１】
特開２００２−６１２９５号公報
【特許文献２】
特開昭４７−１９６２５号公報
【特許文献３】
特開昭４９−１２１３２２号公報
【０００７】
【発明が解決しようとする課題】
しかしながら従来の施工方法によれば、屋根を吊り上げて柱の頂部に固定した後に屋根付近の作業を行う場合には足場となるものがなく、その高所作業は大変なものとなってしまうという問題がある。
【０００８】
例えば、脚立等を用いて高所作業を行う方法によれば足場が不安定であり、かつ、作業場所が変わるとその度に脚立も移動させなければならず大変面倒である。一方、屋根を柱の頂部に固定した後に高所作業用の足場を組み立てる方法によれば足場を地面から順次高所に向けて組み立てる必要があり、その足場の組立てだけでもかなりの工数が必要となってしまう上に、足場の組立て作業自体が高所作業となってしまい、作業効率の点から問題である。このような問題は、近年の住宅家屋によく見られる上階の床部分のない吹き抜け住宅等においては、より一層深刻となる。
【０００９】
本発明は上記の事情に鑑みて為されたもので、高所作業用の足場を簡易に設けることができて安全かつ安定した高所作業を行うことができ、作業効率の向上・作業の安全性確保に寄与することのできる屋根の施工方法、及び、建物の施工方法を提供することを課題とする。
【００１０】
【課題を解決するための手段】
上記の課題を解決するために、本願の請求項１に記載の屋根の施工方法は、建物を支持する構造柱を立設し、構造柱に取り付けられた吊上げ装置によって建物の屋根を吊り上げて構造柱の頂部に屋根を固定する屋根の施工方法であって、吊上げ装置によって吊り上げられる前の屋根に高所作業に用いるための吊り足場を連結し、屋根を吊り足場とともに吊上げ装置によって吊り上げることを特徴とする。
【００１１】
請求項１に係る発明によれば、吊上げ装置によって屋根を吊り足場とともに吊り上げるので、屋根を構造柱に固定した段階で屋根の下に安定した足場があり、例えば吹き抜け住宅等の建物を建築する際にも屋根付近の高所作業を安全かつ安定して行うことができる。その吊り足場を地上付近で組み立てた後に屋根とともに吊り上げることができるので、足場の組立て作業自体を地上付近で安全に行うことができる。また、地面から高所に向けて足場を順次組み立てていく必要がないので足場の組立てが簡単に済み、作業工数が少なくて済む。
【００１２】
請求項２に記載の屋根の施工方法は、請求項１に記載の屋根の施工方法において、構造柱を建物の四隅となる部分に相当する位置に立設することを特徴とする。
【００１３】
請求項２に係る発明によれば、構造柱が建物の四隅となる部分に相当する位置に立設されているので、屋根を吊り上げる際に４本の構造柱で屋根の荷重をバランスさせつつ分担することができ、安定して吊上げ作業を行うことができる。構造柱の立設位置が建物の四隅であり建物の内側部分（例えば中央部付近）でないので、建物内部の平面計画・間取り構成を自由に行うことができる。
【００１４】
請求項３に記載の屋根の施工方法は、請求項１又は請求項２のいずれかに記載の屋根の施工方法において、屋根の吊上げ高さを複数箇所で測定しつつ屋根を吊り上げることを特徴とする。
【００１５】
請求項３に係る発明によれば、屋根の吊上げ高さを複数箇所で測定しつつ屋根を吊り上げるので、測定箇所ごとの吊上げ高さのズレを検出して吊上げ高さのバランスをとりながら安定して吊上げ作業を行うことができる。重量バランスが不均衡な屋根であっても、測定箇所ごとの吊上げ高さを確認しながら吊上げ装置の吊上げ速度を調整することができ、天井を水平に保ったまま屋根をバランスさせて吊上げ作業を行うことができる。
【００１６】
請求項４に記載の屋根の施工方法は、請求項１から請求項３のうちいずれか１項に記載の屋根の施工方法において、屋根に雨水を排水するための排水部を設け、屋根の傾斜面が排水部に向けて下方に傾斜することにより、排水部に雨水を導くことを特徴とする。
【００１７】
請求項４に係る発明によれば、屋根の傾斜面に降り落ちた雨水が屋根に設けられた排水部に向けて導かれるので、屋根に別途軒先雨樋を設ける必要がない。それにより、屋根の施工にかかる費用を低減することができる上に、屋根に軒先雨樋を取り付ける作業を不要とすることができる。その結果、高所作業を少なくすることができ、また、吊り足場を屋根からはみ出す程度に大きくしなくて済む。
【００１８】
請求項５に記載の建物の施工方法は、建物を支持する複数の構造柱を立設し、高所作業に用いるための吊り足場を、構造柱に取り付けられた吊上げ装置によって吊り上げられる前の屋根に連結し、屋根を吊り足場とともに吊上げ装置によって吊り上げて構造柱の頂部に屋根を固定した後に、各構造柱の間に建物の外壁を覆う外壁パネルを保持するための間柱を立設するとともに、各柱間に外壁パネルを組み付けることを特徴とする。
【００１９】
請求項５に係る発明によれば、請求項１に係る発明と同様の効果が得られるとともに、建物全体としての施工効率の向上・施工安全性の向上という効果も得ることができる。屋根を吊り上げて構造柱に固定した後に、屋根下で間柱や外壁パネルの組付け作業を行うことができるので、天候に左右されることなく施工作業を行うことができる。吊り足場を、構造柱で囲まれた空間内に収まるように組み立てた場合は、間柱や外壁パネルの組付け作業の際にも吊り足場を用いて作業を行うことができ、より一層作業が安全でかつ効率的なものとなる。
【００２０】
【発明の実施の形態】
本発明の実施の形態を図面に基づいて説明する。
【００２１】
図１は本発明に係る施工方法により施工された住宅家屋１を示す。この住宅家屋１は地盤Ｇの上に建築されており、住宅家屋１の四隅にはその躯体を構成する構造柱２が４本立設されている。
【００２２】
図２に示すように、構造柱２は２本のＨ型鋼２ａ，２ａ’がその長手方向を一致させた状態で互いに直交する向きに配置されて構成されている。同図においては、Ｈ型鋼２ａがｘｚ面内における曲げ応力に対して高剛性を示し、Ｈ型鋼２ａ’　がｙｚ面内における曲げ応力に対して高剛性を示すので、構造柱２全体としてはいずれの方向に曲げ応力が作用しても高い剛性を発揮する。なお、Ｈ型鋼２ａの面２ｂ及びＨ型鋼２ａ’　の面２ｂ’には、外装部材である断面Ｌ字状の壁受け材３が取り付けられている。この壁受け材３は、屋根に降り落ちた雨水を地面に排水する滝樋となる。
【００２３】
各構造柱２の頂部２ｃには、住宅家屋１の屋根４の四つの角部４ｊが固定されている。この屋根４は、屋根パネル４ａ、小壁パネル４ｂ、天井梁４ｃ，４ｃ’、谷木４ｈ、天井面４ｉ（図９も参照）によって大略構成されている。屋根パネル４ａは後述のように住宅家屋１の四隅に向かって下方に傾斜して設置され、谷を形成するようになっており、住宅家屋１の四隅に相当する頂部２ｃが屋根４の谷の底部分となるようになっている。
【００２４】
この住宅家屋１の四隅に相当する部分、すなわち屋根４の四つの角部４ｊには排水孔（排水部）２ｆが形成された漏斗２ｄが設けられ、屋根４上に降り落ちた雨水等は、傾斜面４ｅによって排水孔２ｆへと導かれるようになっている。
【００２５】
図３に示すように、屋根パネル４ａの傾斜面４ｅの軒先側縁部には、上方に向けて屈曲した屈曲部４ｆが設けられている。軒先側縁部には傾斜面４ｅと屈曲部４ｆとにより断面Ｖ字状の溝４ｇが形成され、雨水等は、その溝４ｇを伝って屋根４の角部４ｊに設けられた漏斗２ｄへと導かれ、排水孔（排水部）２ｆから壁受け材（滝樋）３を通って排水される。したがって、屋根４にはわざわざ軒先に別途雨樋を設ける必要がない。
【００２６】
各構造柱２の間には間柱５が立設されている。この間柱５は、住宅家屋１の外壁を覆う外壁パネル６を保持するためのものであり、外壁パネル６のサイズに合わせて所定間隔で配置されている。
【００２７】
次に、住宅家屋１の施工方法を図４のフローチャート並びに図５乃至図１７を参照しつつ説明する（図４においては各ステップをＳ．１，Ｓ．２，…と表す）。
【００２８】
まず、住宅家屋１を建築すべき地盤（ベタ基礎）Ｇに４本の構造柱２を立設する（図５及びＳ．１）。この構造柱２は住宅家屋１の四隅に相当する位置にその長手方向を鉛直方向に一致させて立設される。各構造柱２には、屋根４を吊り上げるための吊上げ装置としてのウィンチ７が装着されている。このウィンチ７は、滑車７ａ、ワイヤロープ７ｂ、巻上げハンドル７ｃで大略構成される（図１４参照）。
【００２９】
滑車７ａは構造柱２の頂部２ｃ付近に取り付けられている。巻上げハンドル７ｃにはギアを介して巻き取りローラが連結され（図示略）、ワイヤロープ７ｂの一端はその巻き取りローラに取り付けられている。ワイヤロープ７ｂの他端は屋根４を吊り上げる際に滑車７ａを介して屋根４の一部に取り付けられる。巻上げハンドル７ｃは、屋根４を吊り上げる際に作業者が操作するもので、巻上げハンドル７ｃを回転させることにより、これに連結された巻き取りローラが回転してワイヤロープ７ｂを巻き取って屋根４が徐々に吊り上がるようになっている。
【００３０】
次に、地盤Ｇ上に吊り足場（キャットウォーク）８を組み立てる（図６及びＳ．２）。この吊り足場８は屋根４とともに吊り上げられて、高所作業を安全に行うためのものである。吊り足場８は、高所作業を行う作業者が安全にかつ安定して高所作業を行うことができるような形状であればどのような形状であってもよい。
【００３１】
なお、屋根４を吊り上げた後に屋根４の軒先に雨樋を設ける場合には、その雨樋を設置する作業を安全に行えるように足場も屋根４の外側にまではみ出すものを用意する必要がある。しかし、本実施の形態においては上述したように屋根４の軒先に別途雨樋を設ける必要がないので、４本の構造柱２で囲まれた空間内に収まるように吊り足場８を組み立てるだけで充分である。
【００３２】
吊り足場８の組立てが完了したら、その吊り足場８の上方の所定高さ位置で屋根４を構成する天井梁（屋根梁）４ｃ，４ｃ’を組み立てる（図７及びＳ．３）。天井梁４ｃ，４ｃ’には構造柱２の場合と同様にＨ型鋼が用いられ、天井梁４ｃは構造柱２を結んで屋根４の骨格となる矩形状の枠体を形成し、天井梁４ｃ’はその枠体の内部に所定間隔の升目形状を形成するように天井梁４ｃに組み付けられる。組み立てられた天井梁４ｃ，４ｃ’には天井パネル４ｄが取り付けられ、建物最上階の天井面４ｉが構成される（図８）。
【００３３】
天井面４ｉの上部には小壁パネル４ｂ及び谷木４ｈを組み付けるとともに（図９）、その小壁パネル４ｂの斜辺部４ｂ’と谷木４ｈとで構成される斜平面に沿って屋根パネル４ａ’（屋根パネル４ａに仕上げが施されていないもの）を取り付ける（図１０）。さらに、屋根パネル４ａ’の上面に外観材を設けて仕上げを行い、屋根４の組立てを吊上げ前に予め完了させる（図１１及びＳ．４）。なお、屋根４の四つの角部４ｊにはコーナー部材４ｋを設け、これにより角部４ｊには構造柱２を取り囲むように孔部２ｅが形成される。また、構造柱２には天井面４ｉの重心方向に向かってそれを倒伏させるような力が作用するが、図２に示したように構造柱２は２本のＨ型鋼２ａ，２ａ’により構成され、曲げ応力に対して高い剛性を有するので、このステップにおいても、あるいは以降のステップにおいても、それを倒伏させるような力に抗することが可能となっている。
【００３４】
屋根４の組立てが完了したら、屋根４の天井梁４ｃと吊り足場８とを連結する（図１２及びＳ．５）。本実施の形態においては天井梁４ｃに吊り足場８が垂下するようにチェーン９で連結しているが、もちろん天井梁４ｃと吊り足場８とをボルト等で固定してもよい。
【００３５】
続いて、上記ワイヤロープ７ｂ（図１４も参照）の他端を屋根４の天井梁４ｃ等に取り付け、巻上げハンドル７ｃを回転させることにより、屋根４を徐々に上方に吊り上げる。屋根４にはその下方に吊り足場８が連結されているので、吊り足場８も屋根４とともに上方に吊り上げられるが、このとき孔部２ｅが構造柱２を取り囲むように形成されているので、屋根４及び吊り足場８の移動は構造柱２に沿ったものとなる（図１３及びＳ．６）。また、屋根４の四つの角部４ｊ付近には、図１４に示すように屋根４の吊上げ高さを測定するためのコンベックス１０（吊上げ高さ測定手段）が天井梁４ｃから地盤に向けて垂下している。したがって、作業者は屋根４の吊上げ高さを測定して巻上げハンドル７ｃの回転量を必要に応じて調整し、ワイヤロープ７ｂの巻上げ速度をコントロールすることによって、たとえ屋根４の重量バランスがよくない場合であっても均等なリフトアップ（屋根４の水平バランスをとりながらの吊上げ作業）を行うことができる。
【００３６】
屋根４を構造柱２の頂部２ｃ近傍の所定高さまで吊り上げると、図示しないストッパーを構造柱２に取り付けて屋根４をそのストッパー上に仮置きし、天井梁４ｃと構造柱２とを締結してラーメン構造を形成する。これにより、構造柱２及び天井梁４ｃからなる強固な構造体（上下方向に一層の構造体）が構成され、多数の部材を用いることなく住宅家屋１の強度が確保される。また、このように建物四隅の構造柱２により強度が確保されるので、構造柱２で囲まれる空間の中央部に柱を設ける必要がなく、その中央部の使用態様の自由度が向上する。
【００３７】
天井梁４ｃと構造柱２との締結後、構造柱２の頂部２ｃに装着された滑車７ａを取り外すとともに屋根４の孔部２ｅに漏斗２ｄを設置する（図１５及びＳ．７）。これらの屋根４の固定作業・滑車７ａの取り外し作業・漏斗２ｄの設置作業は、屋根４付近の高所作業である。しかしながら、屋根４には吊り足場８が吊下げられており作業者はその吊り足場８の上に乗って作業ができるので、安全に、安定して高所作業を行うことができる。吊り足場８への昇降も脚立１１によって行うことができるので、安全で、かつ便利である。なお、滑車７ａの取り外し及び漏斗２ｄの設置は、構造柱２の直上における作業であるので、吊り足場８上の作業者が容易に行うことができる。また、吊り足場８は、チェーン９の長さを調節することによって上下移動させることもできる。
【００３８】
屋根４の構造柱２への固定作業が完了すると、巻上げハンドル７ｃ、ワイヤロープ７ｂ等の取り外しを行い、間柱５・外壁パネル６の組付け作業を行って（図１６、図１７及びＳ．８）、図１に示す住宅家屋１の建築を完了させる。この間柱５や外壁パネル６の組付けにおいても、高所で間柱５の一端を保持する作業、２階部分の外壁パネルを組み付ける作業等の高所作業が必要となるが、作業者が吊り足場８に乗って高所作業を行うことができるので安全である。また、吊り足場８が屋根４の下方空間内に収まっているので、吊り足場８は外壁パネルと干渉しない。
【００３９】
本実施の形態に係る施行方法では、屋根４を構造柱２に固定した段階で屋根４の下に安定した吊り足場８があり、屋根付近の高所作業を安全かつ安定して行うことができる。
【００４０】
その吊り足場８は地上付近で組み立てた後に屋根４とともに吊り上げることができるので、足場の組立て作業自体を地上付近で安全に行うことができる。
【００４１】
また、地面から高所に向けて足場を順次組み立てていく必要がないので足場の組立てが簡単に済み、作業工数が少なくて済む。
【００４２】
さらに、屋根４を吊り上げて構造柱２に固定した後に、屋根下で間柱５や外壁パネル６の組付け作業を行うことができるので、天候に左右されることなく施工作業を行うことができる。
【００４３】
［変形例］
上記実施の形態においては、屋根４の吊上げ高さを測定するのに各構造柱２に取り付けられたウィンチ７を操作する作業者が各々の吊上げ高さを確認できるように、屋根４の四つの角付近に合計４個のコンベックス１０を垂れ下げているが、もちろんコンベックス１０は４個に限られず、測定したい箇所の数に応じて５個以上または３個以下のコンベックス１０を垂れ下げてもよい。また、ウィンチ７を操作する作業者と吊上げ高さを測定する作業者とが別々の場合は、コンベックス１０を垂れ下げる位置は、ウィンチ７を操作する作業者が視認できる位置に限られない。
【００４４】
またコンベックス１０でなく、例えば吊上げ高さ測定手段として公知のレーザ測長器を用いてもよい。すなわち、屋根４の四つの角付近の天井梁４ｃにそれぞれレーザ測長器を取付け、そのレーザ測長器からのレーザ光が地盤Ｇに向けて鉛直に発せられるようにする。各レーザ測長器によって測定された吊上げ高さ測定データは、公知の表示手段によって各建築作業員が視認できる位置に表示される。それにより、吊上げ高さのバランスをとりながら安定してかつ容易に吊上げ作業を行うことができる。
【００４５】
また、構造柱２自体に吊上げ高さを測定するための目盛りが付与されていてもよい。それにより、わざわざ吊上げ高さ測定手段を別に用意する必要がなく、簡便かつ低コストに屋根４の吊上げ高さを測定することができる。
【００４６】
上記の実施の形態においては、まず吊り足場８を組み立ててから、その後に天井梁４ｃ，４ｃ’を組み立てているが、もちろん先に地盤Ｇから所定高さの位置に天井梁４ｃ，４ｃ’を組み立ててから、その下方に吊り足場８を組み立ててもよい。すなわち、屋根４の組立てを完了させてその屋根４をウィンチ７で吊り上げる際に、吊り足場８を屋根４に連結してともに吊り上げることができれば問題なく本発明の効果を得ることができる。上記のように、先に天井梁４ｃ，４ｃ’を組み立ててから吊り足場８を組み立てる場合は、天井梁４ｃを各構造柱２の所定高さ位置に仮止めしてから屋根４を組み立てると組立て作業が容易となる。
【００４７】
【発明の効果】
以上説明したように、本願の請求項１に係る発明によれば、吊上げ装置によって屋根を吊り足場とともに吊り上げるので、屋根を構造柱に固定した段階で屋根の下に安定した足場があり、例えば吹き抜け住宅等の建物を建築する際にも屋根付近の高所作業を安全かつ安定して行うことができる。その吊り足場を地上付近で組み立てた後に屋根とともに吊り上げることができるので、足場の組立て作業自体を地上付近で安全に行うことができる。また、地面から高所に向けて足場を順次組み立てていく必要がないので足場の組立てが簡単に済み、作業工数が少なくて済む。
【００４８】
請求項２に係る発明によれば、構造柱が建物の四隅となる部分に相当する位置に立設されているので、屋根を吊り上げる際に４本の構造柱で屋根の荷重をバランスさせつつ分担することができ、安定して吊上げ作業を行うことができる。構造柱の立設位置が建物の四隅であり建物の内側部分（例えば中央部付近）でないので、建物内部の平面計画・間取り構成を自由に行うことができる。
【００４９】
請求項３に係る発明によれば、屋根の吊上げ高さを複数箇所で測定しつつ屋根を吊り上げるので、測定箇所ごとの吊上げ高さのズレを検出して吊上げ高さのバランスをとりながら安定して吊上げ作業を行うことができる。重量バランスが不均衡な屋根であっても、測定箇所ごとの吊上げ高さを確認しながら吊上げ装置の吊上げ速度を調整することができ、天井を水平に保ったまま屋根をバランスさせて吊上げ作業を行うことができる。
【００５０】
請求項４に係る発明によれば、屋根の傾斜面に降り落ちた雨水が屋根に設けられた排水部に向けて導かれるので、屋根に別途軒先雨樋を設ける必要がない。それにより、屋根の施工にかかる費用を低減することができる上に、屋根に軒先雨樋を取り付ける作業を不要とすることができる。その結果、高所作業を少なくすることができ、また、吊り足場を屋根からはみ出す程度に大きくしなくて済む。
【００５１】
請求項５に係る発明によれば、請求項１に係る発明と同様の効果が得られるとともに、建物全体としての施工効率の向上・施工安全性の向上という効果も得ることができる。屋根を吊り上げて構造柱に固定した後に、屋根下で間柱や外壁パネルの組付け作業を行うことができるので、天候に左右されることなく施工作業を行うことができる。吊り足場を、構造柱で囲まれた空間内に収まるように組み立てた場合は、間柱や外壁パネルの組付け作業の際にも吊り足場を用いて作業を行うことができ、より一層作業が安全でかつ効率的なものとなる。
【図面の簡単な説明】
【図１】本発明の実施の形態に係る屋根の施工方法を用いた建物の建築方法で建築された住宅家屋の外観を示す斜視図である。
【図２】図１に示す住宅家屋に用いられる構造柱の概略構成を示す図である。
【図３】図１に示す住宅家屋に用いられる屋根を構成する屋根パネルの概略構成を示す図である。
【図４】図１に示す住宅家屋の建築方法を説明するためのフローチャートである。
【図５】図１に示す住宅家屋の建築方法を説明するための図であって、４本の構造柱を地盤に立設している様子を示す図である。
【図６】図１に示す住宅家屋の建築方法を説明するための図であって、地盤上に吊り足場を組み立てた様子を示す図である。
【図７】図１に示す住宅家屋の建築方法を説明するための図であって、吊り足場の上に天井梁を組み立てた様子を示す図である。
【図８】図１に示す住宅家屋の建築方法を説明するための図であって、天井梁に天井パネルを組み付けた様子を示す図である。
【図９】図１に示す住宅家屋の建築方法を説明するための図であって、天井梁の上に小壁パネルと谷木とを組み付けた様子を示す図である。
【図１０】図１に示す住宅家屋の建築方法を説明するための図であって、小壁パネルと谷木の上に屋根パネルを組み付けた様子を示す図である。
【図１１】図１に示す住宅家屋の建築方法を説明するための図であって、屋根パネルの上面に外観材を設けて屋根を仕上げた様子を示す図である。
【図１２】図１に示す住宅家屋の建築方法を説明するための図であって、屋根と吊り足場とを連結した様子を示す図である。
【図１３】図１に示す住宅家屋の建築方法を説明するための図であって、ウィンチによって屋根と吊り足場とをともに吊上げた様子を示す図である。
【図１４】構造柱の近くに天井梁からコンベックスが垂れ下げられている様子を示す図である。
【図１５】図１に示す住宅家屋の建築方法を説明するための図であって、屋根を構造柱に固定するとともに漏斗を設置した様子を示す図である。
【図１６】図１に示す住宅家屋の建築方法を説明するための図であって、構造柱の間に間柱を立設する様子を示す図である。
【図１７】図１に示す住宅家屋の建築方法を説明するための図であって、外壁パネルを組付けた様子を示す図である。
【符号の説明】
Ｇ…地盤（ベタ基礎）
１…住宅家屋（建物）
２…構造柱
２ｃ…頂部
２ｆ…排水孔（排水部）
４…屋根
４ｅ…傾斜面
４ｆ…屈曲部
４ｇ…溝
５…間柱
６…外壁パネル
７…ウィンチ（吊上げ装置）
８…吊り足場
【図１】
2004107963.tif 000003
【図２】
2004107963.tif 000004
【図３】
2004107963.tif 000005
【図４】
2004107963.tif 000006
【図５】
2004107963.tif 000007
【図６】
2004107963.tif 000008
【図７】
2004107963.tif 000009
【図８】
2004107963.tif 000010
【図９】
2004107963.tif 000011
【図１０】
2004107963.tif 000012
【図１１】
2004107963.tif 000013
【図１２】
2004107963.tif 000014
【図１３】
2004107963.tif 000015
【図１４】
2004107963.tif 000016
【図１５】
2004107963.tif 000017
【図１６】
2004107963.tif 000018
【図１７】
2004107963.tif 000019